(57)【要約】【課題】コンテンツデータに含まれる印刷方法に関する表示と実際の印刷方法の不整合を防止する。【解決手段】印刷支援システム１００Ａは、コンテンツデータを取得するコンテンツデータ取得部１０１と、エコロジーマークと印刷方法との関連付け情報を格納するエコロジーマークデータベース１０２と、エコロジーデータベース１０２に基づいてコンテンツデータに含まれるエコロジーマークを判別するエコロジーマーク判別部１０３と、エコロジーマークに対応する印刷方法を実現するための印刷ジョブ定義データを生成する印刷ジョブ定義データ生成部１０４と、を備える。【選択図】図１
2008243140.tif 000002
【特許請求の範囲】
【請求項１】
コンテンツデータを取得するコンテンツデータ取得手段と、
印刷方法に関する表示を識別するための情報を格納している印刷方法表示判別データベ
ースと、
前記印刷方法表示判別データベースに基づいて、前記コンテンツデータに含まれる印刷
方法に関する表示を判別する印刷方法表示判別手段と、
前記印刷方法表示判別手段による判別結果に基づいて、印刷設定を行うための印刷ジョ
ブ定義データを生成する印刷ジョブ定義データ生成手段と、
を備えたことを特徴とする印刷支援システム。
【請求項２】
前記印刷ジョブ定義データ生成手段は、前記印刷方法表示判別手段により判別された前
記表示にかかる印刷方法を実現するための印刷ジョブ定義データを生成することを特徴と
する請求項１に記載の印刷支援システム。
【請求項３】
前記印刷ジョブ定義データ生成手段により前記表示にかかる印刷方法を実現するための
印刷ジョブ定義データを生成するのに代えて、前記コンテンツデータに含まれる印刷方法
に関する表示を修正するコンテンツデータ修正手段を備えることを特徴とする請求項２に
記載の印刷支援システム。
【請求項４】
前記印刷ジョブ定義データ生成手段は、前記表示にかかる印刷方法を実現するための印
刷ジョブ定義データを生成するのに代えて、代替の印刷方法を実現するための印刷ジョブ
定義データを生成し、
前記コンテンツデータ修正手段は、前記代替の印刷方法に合わせて、前記コンテンツデ
ータに含まれる印刷方法に関する表示を修正することを特徴とする請求項３に記載の印刷
支援システム。
【請求項５】
前記印刷方法表示判別データベースは、前記印刷方法に関する表示に対応する印刷ジョ
ブ定義データの情報を格納し、
前記印刷ジョブ定義データ生成手段は、前記印刷方法表示判別データベースに基づいて
、前記印刷ジョブ定義データを生成することを特徴とする請求項１〜４のいずれかに記載
の印刷支援システム。
【請求項６】
前記印刷方法表示判別データベースは、前記印刷方法に関する表示を識別するための情
報を条件節、当該表示に対応する印刷ジョブ定義データを結果節としたｉｆ−ｔｈｅｎ形
式の判別ルールとして格納していることを特徴とする請求項５に記載の印刷支援システム
。
【請求項７】
前記印刷方法に関する表示は、エコロジー関連表示であることを特徴とする請求項１〜
６のいずれかに記載の印刷支援システム。
【請求項８】
コンテンツデータを取得するコンテンツデータ取得ステップと、
印刷方法に関する表示を識別するための情報を格納している印刷方法表示判別データベ
ースに基づいて、前記コンテンツデータに含まれる印刷方法に関する表示を判別する印刷
方法表示判別ステップと、
前記印刷方法表示判別ステップによる判別結果に基づいて、印刷設定を行うための印刷
ジョブ定義データを生成する印刷ジョブ定義データ生成ステップと、
からなる処理をコンピュータに実行させるためのプログラムを含むことを特徴とする印
刷支援プログラム。
【発明の詳細な説明】
【技術分野】
【０００１】
本発明は、印刷ジョブ定義データを用いた印刷を支援する印刷支援システム、及び、印
刷支援プログラムに関する。
【背景技術】
【０００２】
昨今、印刷物の環境負荷が考慮され、環境対策を施した印刷物には、発行企業等のイメ
ージアップを企図して、その環境対策の内容を示す表示がされることが多い。このような
表示を印刷物に印刷する技術として、特許文献１及び２に示すような技術が示されている
。特許文献１では、ユーザが製品の特性を入力又は選択していくとこで、製品の特性に応
じた適切な表示を選択し、印刷する技術が開示されている。また、特許文献２には、印刷
用紙に用いられるトナーの量を推定することで、その印刷用紙が再生紙としてリサイクル
可能であるかを判定し、判定結果に従って特定の表示を印刷する技術が示されている。
【０００３】
ところで、近年、オンデマンド印刷の技術が進歩し、印刷物が不足した場合の「追い刷
り」など、少部数の印刷はオンデマンド印刷機が使用される機会が増えている。オンデマ
ンド印刷では、例えば、ＰｏｓｔＳｃｒｉｐｔ（Ａｄｏｂｅ  Ｓｙｓｔｅｍｓ社の商標）
などのページ記述言語（ＰＤＬ：Ｐａｇｅ  Ｄｅｓｃｒｉｐｔｉｏｎ  Ｌａｎｇｕａｇｅ
）等による印刷データを基に印刷を行う。また、一般に、ページ記述言語による印刷デー
タを印刷する際、印刷ジョブに関する情報を印刷ジョブ定義データ（ＤＰＡ：Ｄｏｃｕｍ
ｅｎｔ  Ｐｒｉｎｔｉｎｇ  Ａｐｐｌｉｃａｔｉｏｎ、ＪＤＦ：Ｊｏｂ  Ｄｅｆｉｎｉｔ
ｉｏｎ  Ｆｏｒｍａｔ）等として扱い、これに基づいて印刷制御する方法が知られている
。
【特許文献１】特開２００５−１６９８９７号公報
【特許文献２】特開２００６−２６７６４２号公報
【発明の開示】
【発明が解決しようとする課題】
【０００４】
しかしながら、オンデマンド印刷機は電子写真方式、インクジェット方式など、一般印
刷（オフセット印刷やグラビア印刷）とは異なる印刷方式を取るため、使用する印刷媒体
や記録剤が限定される。このため、例えば、環境を考慮したオフセット印刷として、大豆
油インキを使用し、その旨の表記（例えば、「大豆油インキを使用」と表記）をしたコン
テンツデータがあった場合、そのコンテンツデータをオンデマンド印刷機で追い刷りする
と、大豆油インキを使用していないにも関わらず、「大豆油インキを使用」と表記されて
しまうという問題がある。このような印刷物を作成・配布することは、虚偽の表記となり
、印刷業者や発行者のイメージダウンになるばかりでなく、誤った表記によって誤ったリ
サイクル方法（例えば、紙の再利用）で処理される恐れを招いたり、極端な場合は不実表
記で損害を招くことも考えられる。
【０００５】
これに対し、上記特許文献１や２に示す技術は、いずれも操作者の入力等によって適切
なリサイクルマークを印字するものであり、既にコンテンツデータにリサイクルマークが
含まれている場合、上記のような問題を回避することができなかった。
本発明は上述の問題点に鑑みてなされたものであり、印刷方法の指定に従って適切な印
刷を実行可能な印刷支援システム、及び、印刷支援プログラムを提供することをその目的
とする。
【課題を解決するための手段】
【０００６】
［形態１］  上記問題点に鑑み、形態１による印刷支援システムは、
コンテンツデータを取得するコンテンツデータ取得手段と、
印刷方法に関する表示を識別するための情報を格納している印刷方法表示判別データベ
ースと、
前記印刷方法表示判別データベースに基づいて、前記コンテンツデータに含まれる印刷
方法に関する表示を判別する印刷方法表示判別手段と、
前記印刷方法表示判別手段による判別結果に基づいて、印刷設定を行うための印刷ジョ
ブ定義データを生成する印刷ジョブ定義データ生成手段と、
を備えたことを特徴とする。
【０００７】
このように構成すれば、コンテンツデータ取得手段によりコンテンツデータが取得され
、印刷方法表示判別手段によりコンテンツデータに含まれる印刷方法に関する表示が判別
され、判別結果に基づいて印刷ジョブ定義データ生成手段により、印刷ジョブ定義データ
が生成される。これにより、コンテンツデータに印刷方法に関する表示を含む場合には、
当該表示に対応して適切な印刷設定を行うことができ、オンデマンド印刷等、コンテンツ
データが異なる印刷環境で印刷される場合にも、実際の印刷方法と印刷物の表示の整合性
を保つことができる。
【０００８】
［形態２］  さらに、形態２による印刷支援システムは、形態１において、
前記印刷ジョブ定義データ生成手段は、前記印刷方法表示判別手段により判別された前
記表示にかかる印刷方法を実現するための印刷ジョブ定義データを生成することを特徴と
する。
このように構成すれば、印刷ジョブ定義データ生成手段により、表示に示される印刷方
法を実現するための印刷ジョブ定義データが生成される。従って、この印刷ジョブ定義デ
ータを用いることで、表示に示される印刷方法を用いた印刷が実行され、印刷物に表示さ
れる印刷方法に関する表示と、実際の印刷方法との整合性を保つことができる。
【０００９】
［形態３］  さらに、形態３による印刷支援システムは、形態２において、
前記印刷ジョブ定義データ生成手段により前記表示にかかる印刷方法を実現するための
印刷ジョブ定義データを生成するのに代えて、前記コンテンツデータに含まれる印刷方法
に関する表示を修正するコンテンツデータ修正手段を備えることを特徴とする。
このように構成することで、例えば表示にかかる印刷方法が実現不能な場合などに、コ
ンテンツデータ修正手段により、コンテンツデータに含まれる印刷方法に関する表示が修
正される。従って、不実表記を防止できる。
なお、印刷方法に関する表示の修正には、削除も含む。
【００１０】
［形態４］  さらに、形態４による印刷支援システムは、形態３において、
前記印刷ジョブ定義データ生成手段は、前記表示にかかる印刷方法を実現するための印
刷ジョブ定義データを生成するのに代えて、代替の印刷方法を実現するための印刷ジョブ
定義データを生成し、
前記コンテンツデータ修正手段は、前記代替の印刷方法に合わせて、前記コンテンツデ
ータに含まれる印刷方法に関する表示を修正するコンテンツデータ修正手段を備えること
を特徴とする。
【００１１】
このように構成することで、表示にかかる印刷方法が実現不能な場合などに、印刷ジョ
ブ定義データ生成手段により代替の印刷方法を実現するための印刷ジョブ定義データが生
成され、これに応じてコンテンツデータ修正手段により、印刷方法に関する表示が修正さ
れる。従って、不実表記を防止できるのみでなく、より好ましい代替の印刷方法を適用で
きる。
【００１２】
［形態５］  さらに、形態５による印刷支援システムは、形態１〜４のいずれかにおい
て、
前記印刷方法表示判別データベースは、前記印刷方法に関する表示に対応する印刷ジョ
ブ定義データの情報を格納し、
前記印刷ジョブ定義データ生成手段は、前記印刷方法表示判別データベースに基づいて
、前記印刷ジョブ定義データを生成することを特徴とする。
このように構成すれば、印刷ジョブ定義データ生成手段により、印刷方法表示判別デー
タベースに基づいて、印刷方法表示判別手段により判別された印刷方法に関する表示に対
応する印刷ジョブ定義データが取得され、表示に対応する印刷ジョブ定義データが生成さ
れる。
【００１３】
なお、印刷方法表示判別データベースは、印刷方法に関する表示と、印刷ジョブ定義デ
ータと、の対応付けを取得可能であれば、１つの装置に構成されている必要はなく、複数
の装置に分散して構成されていてもよい。同様に、印刷方法表示判別手段により用いる印
刷方法に関する表示を識別するための情報と、印刷方法に関する表示に対応する印刷ジョ
ブ定義データの情報と、は、１つの装置に格納されている必要はなく、複数の装置に分散
して格納されていてもよい。
【００１４】
［形態６］  さらに、形態６による印刷支援システムは、形態５において、
前記印刷方法表示判別データベースは、前記印刷方法に関する表示を識別するための情
報を条件節、当該表示に対応する印刷ジョブ定義データを結果節としたｉｆ−ｔｈｅｎ形
式の判別ルールとして格納していることを特徴とする。
このように構成すれば、印刷ジョブ定義データ生成手段は、印刷方法表示判別データべ
ースに格納される判別ルールに従って、表示に対応する印刷ジョブ定義データを生成する
ことができる。
【００１５】
［形態７］  さらに、形態７による印刷支援システムは、形態１〜６のいずれかにおい
て、
前記印刷方法に関する表示は、エコロジー関連表示であることを特徴とする。
このように構成すれば、印刷方法に関する表示がエコロジー関連表示であり、環境に配
慮した印刷方法であることを表示する場合にも、当該表示を判別し、印刷ジョブ定義デー
タ生成手段により適切な印刷ジョブ定義データを生成し、適切な印刷方法を実行すること
ができる。
【００１６】
［形態８］さらに、形態８による印刷支援プログラムは、
コンテンツデータを取得するコンテンツデータ取得ステップと、
印刷方法に関する表示を識別するための情報を格納している印刷方法表示判別データベ
ースに基づいて、前記コンテンツデータに含まれる印刷方法に関する表示を判別する印刷
方法表示判別ステップと、
前記印刷方法表示判別ステップによる判別結果に基づいて、印刷設定を行うための印刷
ジョブ定義データを生成する印刷ジョブ定義データ生成ステップと、
からなる処理をコンピュータに実行させるためのプログラムを含むことを特徴とする。
このような構成であれば、コンピュータによってプログラムが読み取られ、読み取られ
たプログラムに従ってコンピュータが処理を実行すると、形態１の印刷支援システムと同
等の作用及び効果が得られる。
【発明を実施するための最良の形態】
【００１７】
次に、図面を参照して本発明の実施の形態について説明する。
（第１実施形態）
図１に、第１実施形態にかかる印刷支援システム１００Ａの機能ブロックを示す。
図１の印刷支援システム１００Ａは、後述するホスト端末１００の一部の機能として構
成されている。そして、印刷支援システム１００Ａは、コンテンツデータを取得するコン
テンツデータ取得部１０１と、エコロジーマークを識別するための情報を格納しているエ
コロジーマークデータベース１０２と、エコロジーマークデータベース１０２に格納する
情報に基づいて、コンテンツデータ取得部１０１で取得したコンテンツデータに含まれる
エコロジーマークを判別するエコロジーマーク判別部１０３と、を備えて構成されている
。さらに、印刷支援システム１００Ａは、エコロジーマーク判別部１０３による判別結果
に基づいて、印刷設定を行うための印刷ジョブ定義データを生成する印刷ジョブ定義デー
タ生成部１０４を備えて構成される。
【００１８】
図２に示すホスト端末１００のハードウェア構成を説明する。
ホスト端末１００は、図２に示すように、制御プログラムに基づいて演算及びシステム
全体を制御するＣＰＵ３０と、所定領域にあらかじめＣＰＵ３０の制御プログラム等を格
納しているＲＯＭ３２と、ＲＯＭ３２等から読み出したデータやＣＰＵ３０の演算過程で
必要な演算結果を格納するためのＲＡＭ３４と、外部装置に対してデータの入出力を媒介
するＩ／Ｆ３８とで構成されており、これらは、データを転送するための信号線であるバ
ス３９で相互にかつデータ授受可能に接続されている。
Ｉ／Ｆ３８には、外部装置として、ヒューマンインターフェースとしてデータの入力が
可能なキーボードやマウス等からなる入力装置４０と、データやテーブル等をファイルと
して格納する記憶装置４２と、画像信号に基づいて画面を表示する表示装置４４と、ネッ
トワーク１９９に接続するための信号線とが接続されている。
【００１９】
図３に、コンテンツデータの例を示す。
コンテンツデータとして、図３のようなエコロジーマークＥを一部に表示するデータが
入力される。データ形式は、例えば、ページ記述言語のデータ形式（ＰＤＦ形式、Ｐｏｓ
ｔＳｃｒｉｐｔ形式等）、Ｍｉｃｒｏｓｏｆｔ  Ｗｏｒｄ等のアプリケーションソフトウ
ェアのデータ形式、ビットマップ、ＴＩＦＦ、ＪＰＥＧのような画像データ形式等、特に
限定されない。
【００２０】
図１５に、エコロジーマークの例を示す。
エコロジーマークは、本実施形態ではコンテンツデータの印刷方法に関する表示を含む
ものを対象としている。例えば、図１５に示すような、大豆油インキ等の環境に配慮した
インキを用いて印刷されたことを表示するエコロジーマークや、再生紙等の環境に配慮し
た印刷媒体に印刷されたことを表示するエコロジーマークが該当する。
【００２１】
図４に、印刷ジョブ定義データの例を示す。
印刷ジョブ定義データは、前述したように印刷処理に用いられるデータである。本実施
形態では、印刷方法の設定を含んでおり、これにより、当該印刷方法を用いた印刷処理を
実行させることができる。印刷方法の設定としては、例えば、印刷媒体の種類や、両面印
刷方法、インキの種類の設定が挙げられる。図４の印刷ジョブ定義データでは、所定の開
始タグ（例えば、＜印刷設定＞）と終了タグ（例えば、＜／印刷設定＞）との間に、開始
タグと終了タグとのタグセットを入れ子状に記述することにより印刷方法を規定している
。印刷ジョブ定義データは、例えば、ＸＭＬ（ｅＸｔｅｎｓｉｂｌｅ  Ｍａｒｋｕｐ  Ｌ
ａｎｇｕａｇｅ）等のマークアップ言語により記述することができる。
なお、印刷ジョブ定義データは、印刷処理により最終生成物として所望の印刷物の仕様
を記述した印刷ジョブ定義データと印刷装置に関わる設定を記述した印刷ジョブ設定デー
タの双方を包括する概念である。
【００２２】
図５に、エコロジーマークデータベースの構成例を示す。
エコロジーマークデータベースは、エコロジーマークを識別するための情報を格納する
と共に、エコロジーマークと、エコロジーマークが表示する印刷方法を実現するための設
定内容と、を対応付けて格納している。なお、図５の例では、各エコロージーマークの「
コンテンツ種別」の情報も付されており、エコロジーマークの判別処理を行う際に、コン
テンツデータの種別に対応するエコロジーマークを選択して判別処理を行うことができる
ようになっている。
【００２３】
次に、図６に示すフローチャートに沿って、印刷支援システム１００Ａの動作を具体的
に説明する。この印刷支援システム１００Ａの動作は、印刷支援プログラムの一部を構成
するプログラムをホスト端末１００にて実行することで実現される。
まず、ステップＳ１０１では、コンテンツデータ取得部１０１においてコンテンツデー
タを取得する。次いで、ステップＳ１０２において、コンテンツデータからオブジェクト
を抽出する。オブジェクトは、文字データやイメージデータなどからなる同種の一まとま
りのデータであり、任意の方法で抽出される。例えば、文字データであれば、コンテンツ
データに含まれる文字データ全体を１つのオブジェクトとして抽出してもよいし、文字単
位で記述されている文字データであれば、位置的に連続する文字並びを文字列として、１
つのまとまった領域にある文字データ群を１つのオブジェクトとして抽出してもよい。
【００２４】
次いで、ステップＳ１０３で、エコロジーマーク判別部１０３において、ステップＳ１
０２で抽出したオブジェクトとエコロジーマークデータベース１０２に格納するエコロジ
ーマークとを照合する。具体的には、例えば、オブジェクトが文字データからなる場合に
は、図５に示すエコロジーマークデータベース１０２に格納されるエコロジーマークのう
ち「コンテンツ種別」が「テキスト」であるものを選択し、当該エコロジーマークがオブ
ジェクト中に含まれるか否かを判定する。また、オブジェクトがイメージデータである場
合は、例えば、オブジェクトについて特徴抽出を行い、エコロジーマークデータベース１
０２に格納するエコロジーマークの特徴データと比較する。
【００２５】
ステップＳ１０３で照合の結果、オブジェクトと適合するエコロジーマークが検索され
た場合（ステップＳ１０４：ｙｅｓ）は、ステップＳ１０５に移行する。ステップＳ１０
５では、エコロジーマークデータベース１０２から、当該エコロジーマークに対応する印
刷方法の設定内容を取得して記憶し、ステップＳ１０６に移行する。一方、オブジェクト
と適合するエコロジーマークが見つからなかった場合（ステップＳ１０４：ｎｏ）は、ス
テップＳ１０５の処理を実行することなく、ステップＳ１０５に移行する。
【００２６】
ステップＳ１０６では、ステップＳ１０２で抽出した全オブジェクトについて照合を行
ったかを判定し、未照合のオブジェクトがある場合（ステップＳ１０６：ｎｏ）は、ステ
ップＳ１０３に戻り、全てのオブジェクトについて照合が完了するまで、ステップＳ１０
３〜Ｓ１０６の処理を繰り返す。照合が完了したら（ステップＳ１０６：ｙｅｓ）、ステ
ップＳ１０７に移行し、ステップＳ１０５で記憶した設定を含む印刷ジョブ定義データを
生成する。
【００２７】
以上の印刷支援システム１００Ａにおいて、例えば、図３に示すコンテンツデータが入
力されると、連続領域にある文字データから「カタログ」、「会社名」及び「リサイクル
１００％再生紙を使用しています。」がオブジェクトとして抽出され、各オブジェクトに
ついてエコロジーマークとの照合が行われる。この結果、図５に示す「リサイクル１００
％再生紙」の文字データからなるエコロジーマークとの適合が判定され、対応する印刷方
法の設定内容に基づいて、図４に示すような印刷ジョブ定義データが生成される。
【００２８】
このように、印刷支援システム１００Ａにより、コンテンツデータに含まれるエコロジ
ーマークに応じ、適切な印刷方法の設定を含む印刷ジョブ定義データを生成することで、
エコロジーマークによる表示と一致した印刷を実行させることができる。このため、コン
テンツデータに基づいてオンデマンド印刷を行うときに、虚偽の表示を防止し、また環境
に配慮した印刷の実行を広く確保できる。
【００２９】
なお、上記実施形態において、コンテンツデータ取得部１０１が形態１のコンテンツデ
ータ取得手段に相当し、エコロジーマーク判別部１０３が形態１及び２の印刷方法表示判
別手段に相当し、エコロジーマークデータベース１０２が形態１の印刷方法表示判別デー
タベースに相当し、印刷ジョブ定義データ生成部１０４が形態１の印刷ジョブ定義データ
生成手段に相当する。また、コンテンツデータ取得部１０１による処理が形態８のコンテ
ンツデータ取得ステップに相当し、エコロジーマーク判別部１０３による処理が形態８及
び９の印刷方法表示判別ステップに相当し、印刷ジョブ定義データ生成部１０４による処
理が形態８の印刷ジョブ定義データ生成ステップに相当する。
【００３０】
（第２実施形態）
図７に、第２実施形態の印刷支援システム１００Ｂの機能ブロックを示す。なお、第１
実施形態と同様の構成の部分については、説明を省略し、異なる部分のみ説明する。
図７の印刷支援システム１００Ｂは、第１実施形態の構成に加えて、コンテンツデータ
を修正するコンテンツデータ修正部１０５を備えて構成されている。また、エコロジーマ
ーク判別部１０３′は、ホスト端末１００が接続する印刷装置の機器能力情報を保持して
おり、これに基づいて、エコロジーマークに表示される印刷方法が印刷装置で実施可能で
あるかを判定し、実施できない場合には、コンテンツデータ修正部１０５にエコロジーマ
ークを削除させる機能を有する。
【００３１】
図８に、印刷支援システム１００Ｂの動作フローを示す。
ステップＳ１０１〜Ｓ１０４までの処理は、第１実施形態と同様である。ステップＳ１
０４で、適合するエコロジーマークが検索された場合（ステップＳ１０４：ｙｅｓ）、ス
テップＳ１０５Ａに移行し、当該エコロジーマークに表示する印刷方法を実現可能かを判
定する。判定の結果、印刷装置で実現できないと判定した場合（ステップＳ１０５Ａ：ｎ
ｏ）は、ステップＳ１０５Ｂに移行し、コンテンツデータ修正部１０５において、ステッ
プＳ１０１で取得したコンテンツデータを修正し、当該コンテンツデータ中のエコロジー
マークに対応する部分を削除する。一方、実現可能と判定した場合（ステップＳ１０５Ａ
：ｙｅｓ）は、ステップＳ１０５Ｃにて、エコロジーマークデータベース１０２から、エ
コロジーマークに表示する印刷方法を実現するための設定内容を取得し、記憶する。
全オブジェクトについて上記ステップＳ１０３〜Ｓ１０５Ｃの処理を完了した後、第１
実施形態と同様に記憶した設定を含む印刷ジョブ定義データを生成する（ステップＳ１０
７）。
【００３２】
以上のような印刷支援システム１００Ｂにおいて、図９に示すようなコンテンツデータ
が入力されたとする。この場合、「カタログ」、「会社名」及び「大豆油インキを使用し
ています。」の各文字列と、イメージデータがオブジェクトとして抽出される。そして、
エコロジーマークデータベース１０２との照合の結果、２つのオブジェクトが、大豆油イ
ンキの使用を表示するエコロジーマークＥ−１，Ｅ−２であると判定される。従って、印
刷装置で大豆油インキを使用できる場合は、大豆油インキの設定を含む印刷ジョブ定義デ
ータが生成される。一方、印刷装置で大豆油インキを使用できない場合は、エコロジーマ
ークＥ−１，Ｅ−２を含まないコンテンツデータに修正される。このように、コンテンツ
データにエコロジーマークが含まれる場合に、エコロジーマークの表示する印刷方法を実
現できない場合には、コンテンツデータを修正することで、不実表記を防止できる。
なお、上記実施形態において、コンテンツデータ修正部１０５が形態３のコンテンツデ
ータ修正手段に相当し、コンテンツデータ修正部１０５による処理が形態１０のコンテン
ツデータ修正ステップに相当する。
【００３３】
（第３実施形態）
次に、第３実施形態にかかる印刷支援システムについて説明する。第３実施形態の印刷
支援システムは、図７に示した第２実施形態の印刷支援システム１００Ｂと略同様である
が、エコロジーマークデータベース１０２に格納する情報の内容及びエコロジーマーク判
別部１０３′による処理内容が若干異なっている。
【００３４】
図１０に、第３実施形態のエコロジーデータベースの構成例を示す。
図１０のエコロジーデータベースは、エコロジーマークに対応する情報として、エコロ
ジーマークの表示する印刷方法を実現する設定に加えて、代替印刷方法を実現するための
設定及び代替表記を規定している。代替印刷方法は、エコロジーマークの表示する印刷方
法を代替する印刷方法であって、エコロジーマークの表示する印刷方法と異なるが、本実
施形態では同様に環境に配慮した印刷方法を採用する。また、代替表記は、代替印刷方法
に対応するマークであり、代替印刷方法を実行させる場合に、コンテンツデータに含まれ
るエコロジーマークに代えて表記させるものである。
【００３５】
図１１に、第３実施形態の印刷支援システムの動作フローを示す。
図１１のフローは、第２実施形態の図８に示す処理と略同様であり、図８のステップＳ
１０５Ｂの処理に代えて、ステップＳ１０５Ｄ〜Ｓ１０５Ｆの処理を行う点のみが異なっ
ている。具体的には、適合するエコロジーマークが検索され、当該エコロジーマークによ
り表示する印刷方法が実現不能と判定された場合（ステップＳ１０５Ａ：ｎｏ）に、ステ
ップＳ１０５Ｄに移行する。なお、実現可能である場合（ステップＳ１０５Ａ：ｙｅｓ）
は、図８のステップＳ１０５Ｃと同様にエコロジーマークに表示する印刷方法を実現する
ための設定を記憶する（ステップＳ１０５Ｇ）。
【００３６】
ステップＳ１０５Ｄでは、エコロジーマークに対応する代替印刷方法が実現可能である
かを判定する。この結果、代替印刷方法が実現可能な場合（ステップＳ１０５Ｄ：ｙｅｓ
）は、エコロジーマークデータベースに規定する当該代替印刷方法を実現するための設定
を記憶すると共に、コンテンツデータに含まれるエコロジーマークを代替表記に変更し（
ステップＳ１０５Ｅ）、ステップＳ１０６に移行する。一方、代替印刷方法が実現不能で
ある場合や代替印刷方法が設定されていない場合（ステップＳ１０５Ｄ：ｎｏ）は、ステ
ップＳ１０５Ｆでコンテンツデータに含まれるエコロジーマークを削除し、ステップＳ１
０６に移行する。その後、全オブジェクトについて、ステップＳ１０３〜Ｓ１０５Ｇの処
理が終了すると、ステップＳ１０５ＧやステップＳ１０５Ｅで記憶した設定を含む印刷ジ
ョブ定義データが生成される（ステップＳ１０７）。
【００３７】
以上のような印刷支援システムにおいて、例えば図９に示すようなコンテンツデータが
入力されたとする。この場合、印刷装置で大豆油インキは使用できないけれども、図１０
に示す代替印刷方法である水性インキを使用した印刷は実現可能であるとする。この場合
、ステップＳ１０５Ｅで、エコロジーマークが代替表記に置換され、図１２に示すような
コンテンツデータに修正される。また、印刷ジョブ定義データとして、インキの設定が水
性インキに変更された図１３に示すような印刷ジョブ定義データが生成される。このよう
に、エコロジーマークに表示する印刷方法が実現できない場合は、環境に配慮した代替印
刷方法を実現するための印刷ジョブ定義データを生成することで、このような場合も環境
に負荷の少ない印刷を実行できる。
【００３８】
なお、上記実施形態において、コンテンツデータ修正部が形態４のコンテンツデータ修
正手段に相当し、コンテンツデータ修正部１０５による処理が形態１１のコンテンツデー
タ修正ステップに相当する。
以上、第１〜第３実施形態により本発明の印刷支援システムについて説明したが、本発
明の適用は上述の実施形態に限定されるものではない。例えば、実施形態では、コンテン
ツデータを取得する場合について説明しているが、印刷データとしてコンテンツデータと
同時に印刷ジョブ定義データを取得していてもよい。この場合は、取得した印刷ジョブ定
義データに対して印刷方法の設定を加える。また、上記実施形態では、印刷方法に関する
表示としてエコロジーマークについてのみ挙げたが、これに限定されない。
【００３９】
また、図１４に示すように、エコロジーマークと印刷ジョブ定義データとの対応は、エ
コロジーマークを条件節、エコロジーマークに対応する印刷ジョブ定義データを結果節と
したｉｆ−ｔｈｅｎ形式の判別ルールとして、エコロジーデータベースに格納してもよい
。図１４の例では、文字列「１００％」と「再生紙」が５文字以内に位置すると、印刷ジ
ョブ定義データの用紙種別が再生率１００％の再生紙に設定されることを示す。このよう
に、ｉｆ−ｔｈｅｎ形式の判別ルールを用いると、エコロジーマークに応じて細かなルー
ルを設定でき、システムの構成も容易であると言う利点がある。
なお、図５、図９、図１０及び図１５のＳＯＹＩＮＫのロゴマークは登録商標である。
【図面の簡単な説明】
【００４０】
【図１】印刷支援システムの機能ブロックである。
【図２】ホスト端末のハードウェア構成を示す図である。
【図３】コンテンツデータの例を示す図である。
【図４】印刷ジョブ定義データの例を示す図である。
【図５】エコロジーマークデータベースの構成例を示す図である。
【図６】印刷支援システムの動作フローである。
【図７】印刷支援システムの機能ブロックである。
【図８】印刷支援システムの動作フローである。
【図９】コンテンツデータの例である。
【図１０】エコロジーデータベースの構成例を示す図である。
【図１１】印刷支援システムの動作フローである。
【図１２】コンテンツデータの例である。
【図１３】印刷ジョブ定義データの例である。
【図１４】ｉｆ−ｔｈｅｎ形式の判別ルールの例である。
【図１５】エコロジーマークの例である。
【符号の説明】
【００４１】
３９   バス、４０    入力装置、４２       記憶装置、４４       表示装置、１００ 
ホスト端末、１００Ａ，１００Ｂ     印刷支援システム、１００    再生率、１
０１   コンテンツデータ取得部、１０２     エコロジーマークデータベース、１０３  
エコロジーマーク判別部、１０４     印刷ジョブ定義データ設定部、１０５ コ
ンテンツデータ修正部
【図１】
2008243140.tif 000003
【図２】
2008243140.tif 000004
【図３】
2008243140.tif 000005
【図４】
2008243140.tif 000006
【図５】
2008243140.tif 000007
【図６】
2008243140.tif 000008
【図７】
2008243140.tif 000009
【図８】
2008243140.tif 000010
【図９】
2008243140.tif 000011
【図１０】
2008243140.tif 000012
【図１１】
2008243140.tif 000013
【図１２】
2008243140.tif 000014
【図１３】
2008243140.tif 000015
【図１４】
2008243140.tif 000016
【図１５】
2008243140.tif 000017